(57)【要約】【課題】覆い部材が駆動ローラに接触することを回避しながらも、駆動ローラと覆い部材との間の隙間を十分に小さくして、手指が機体本体の内側に巻き込まれることを防止できる画像形成装置を提供する。【解決手段】駆動ローラ２３とその駆動ローラ２３に連動する遊転ローラ２４とを、すくなくとも駆動ローラ２３の一部を機体本体Ｂから露出させて設け、駆動ローラ２３による機体本体Ｂの内側への巻き込みを防止する巻き込み防止部材Ｃを、駆動ローラ２３の駆動軸２８に着脱自在に設けてある。【選択図】図４
2009104075.tif 000002
【特許請求の範囲】
【請求項１】
駆動ローラとその駆動ローラに連動する遊転ローラとを、すくなくとも前記駆動ローラの一部を機体本体から露出させて設けた画像形成装置であって、
前記駆動ローラによる前記機体本体の内側への巻き込みを防止する巻き込み防止部材を、前記駆動ローラの駆動軸に着脱自在に設けてある画像形成装置。
【請求項２】
前記巻き込み防止部材を構成するに、前記駆動ローラの駆動軸に着脱自在に且つ摺動自在に取り付ける取り付け部に、前記駆動ローラとその回転方向下流側における覆い部材との間の隙間を塞ぐカバー部を取り付けてある請求項１に記載の画像形成装置。
【請求項３】
前記駆動ローラと前記遊転ローラがシートを排出させるための排出ローラである請求項１又は２に記載の画像形成装置。
【請求項４】
前記駆動ローラをゴムにて構成してある請求項１〜３のいずれか１項に記載の画像形成装置。
【発明の詳細な説明】
【技術分野】
【０００１】
本発明は、駆動ローラとその駆動ローラに連動する遊転ローラとを、すくなくとも前記駆動ローラの一部を機体本体から露出させて設けた画像形成装置に関する。
【背景技術】
【０００２】
かかる画像形成装置は、例えば、搬送路に沿って搬送されるシートを駆動ローラとその駆動ローラに連動する遊転ローラとの間に挟持して、駆動ローラの駆動回転によりシートを排紙トレイ側に排出できるようにしたものである。
【０００３】
従来、この種の画像形成装置では、駆動ローラの回転方向下流側における庇状の覆い部材を機体本体に取り付けてあるだけであった。（尚、この様な従来技術に関しては、当業者の間で広く知られているものであるが、該当する構成が記載された特許文献などは見あたらないので、先行技術文献は示していない。）
【発明の開示】
【発明が解決しようとする課題】
【０００４】
従来の画像形成装置においては、単に、庇状の覆い部材は、機体本体に取り付けてあるだけであるため、駆動ローラと覆い部材との間の隙間を十分に小さくできないものであり、手指が機体本体の内側に巻き込まれる虞があった。
説明を加えると、庇状の覆い部材の製作誤差や取り付け誤差によって、駆動ローラと覆い部材との間の隙間がばらついて覆い部材が駆動ローラに接触する虞があるので、駆動ローラと覆い部材との間の隙間を十分に小さくできないものであり、手指が機体本体の内側に巻き込まれる虞があった。
【０００５】
本発明は、上記実状に鑑みて為されたものであって、その目的は、覆い部材が駆動ローラに接触することを回避しながらも、駆動ローラと覆い部材との間に指の入る隙間をなくして、手指が機体本体の内側に巻き込まれることを防止できる画像形成装置を提供する点にある。
【課題を解決するための手段】
【０００６】
本発明の画像形成装置は、駆動ローラとその駆動ローラに連動する遊転ローラとを、すくなくとも前記駆動ローラの一部を機体本体から露出させて設けたものであって、その第１特徴構成は、前記駆動ローラによる前記機体本体の内側への巻き込みを防止する巻き込み防止部材を、前記駆動ローラの駆動軸に着脱自在に設けてある点にある。
【０００７】
すなわち、駆動ローラによる機体本体の内側への巻き込みを防止する巻き込み防止部材を、駆動ローラの駆動軸に着脱自在に設けるものであるから、駆動ローラの駆動軸を基準に巻き込み防止部材と駆動ローラとの間の隙間を設計できるために、製作誤差や組み付け誤差が小さなものとなり、覆い部材が駆動ローラに接触することを回避しながらも、駆動ローラと覆い部材との間の隙間を巻き込み防止部材でほとんどなくすることができるものとなる。
しかも、巻き込み防止部材を、前記駆動ローラの駆動軸に着脱自在に設けてあるので、既存の装置に改良を加えること無く簡単に安全性を確保できる。
したがって、覆い部材が駆動ローラに接触することを回避しながらも、駆動ローラと覆い部材との間の隙間を十分に小さくして、手指が機体本体の内側に巻き込まれることを防止でき、加えて、既存の装置に改良を加えること無く簡単に安全性を確保できる画像形成装置を得るに至った。
【０００８】
本発明の第２特徴構成は、上記第１特徴構成に加えて、前記巻き込み防止部材を構成するに、前記駆動ローラの駆動軸に着脱自在に且つ摺動自在に取り付ける取り付け部に、前記駆動ローラとその回転方向下流側における覆い部材との間の隙間を塞ぐカバー部を取り付けてある点を特徴とする。
【０００９】
すなわち、前記巻き込み防止部材を構成するに、前記駆動ローラの駆動軸に着脱自在に且つ摺動自在に取り付ける取り付け部に、前記駆動ローラとその回転方向下流側における覆い部材との間の隙間を塞ぐカバー部を取り付けてあるので、簡単な構造で巻き込み防止部材を構成することができる。
【００１０】
本発明の第３特徴構成は、上記第１又は第２特徴構成に加えて、前記駆動ローラと前記遊転ローラがシートを排出させるための排出ローラである点を特徴とする。
【００１１】
すなわち、手指を排出ローラに近づけて排出ローラからシートが排出されるのを待ち受ける場合において、手指が排出ローラに誤って接触して機体本体の内側に巻き込まれる虞があるが、そのような場合において好適である。
【００１２】
本発明の第４特徴構成は、上記第１〜第３特徴構成のいずれか１つの特徴構成に加えて、前記駆動ローラをゴムにて構成してある点を特徴とする。
【００１３】
すなわち、ゴムの摩擦係数は大きいので、手指が機体本体の内側に巻き込まれ易いものであるが、そのような場合において好適である。
【発明を実施するための最良の形態】
【００１４】
〔第１実施の形態〕
以下、本発明に係る画像形成装置について説明する。
図１〜図３に示すように、画像形成装置の一例としての複写機Ａは、記録紙に画像を形成する画像形成部１や、その画像形成部１に給紙するためのシートとしての記録紙Ｐを収納する給紙部２，光学部３，排出・反転部４，両面部５，排紙トレイ６などを備えている。
【００１５】
前記画像形成部１は、感光体ドラム７の周りに、主帯電部８や現像部９，転写・分離部１０，クリーニング・除電部１１などを配設するとともに、定着部１２を設けて、光学部３で読み取った画像情報に基づいて感光体ドラム７にトナー像を形成し、そのトナー像を給紙部２から給紙された記録紙Ｐに転写して、定着部１２で定着させた後の記録紙Ｐを排紙トレイ６に排出できるように構成してある。
【００１６】
前記給紙部２は、装置本体の横外側方にスライド移動自在に支持してある上下三つ給紙トレイ１３と、装置本体の横外側方に突出する姿勢と装置本体側に格納した姿勢とに上下揺動自在に支持してある手差しトレイ１４とを備え、各トレイ１３，１４毎に、記録紙Ｐ
を画像形成部１に向けて繰り出すための多数の繰り出し用ローラ１５を設けて、繰り出し用ローラ１５の駆動回転で記録紙Ｐを画像形成部１に向けて繰り出せるように構成してある。
【００１７】
前記給紙トレイ１３は、上下に重ねた複数枚の記録紙Ｐを画像形成部１に向けた所定の給紙姿勢で、かつ、画像形成部１への給紙方向下手側端部（給紙方向先端部）を揃えた状態で載置収納できるように設けてあり、記録紙Ｐの給紙方向下手側部分が繰り出し用ローラ１５に接触するようにコイルバネ１６で弾性付勢する付勢板１７を設けて、繰り出し用ローラ１５の駆動回転で記録紙Ｐを上から順に画像形成部１に向けて繰り出せるように構成してある。
【００１８】
前記定着部１２は、トナー像を転写してある記録紙Ｐを加熱ローラ１８と加圧ローラ１９とのニップ部で挟持して、その記録紙Ｐに転写してある現像剤を加熱ローラ１８で加熱溶融させて定着させた後、その記録紙Ｐを排出・反転部４に向けて上向きに送り出すように構成してある。
【００１９】
前記排出・反転部４は、定着部１２から上向きに送り出される記録紙Ｐの搬送方向を、案内部材２０に沿って、排紙トレイ６側に向けた横側方に案内する排紙用搬送路２１と、定着部１２を通過して排紙用搬送路２１に沿って移動してくる記録紙Ｐを、排紙用搬送路２１の搬送方向終端側で挟持して、排紙トレイ６に向けて駆動搬送する挟持搬送部２２とを設けてある。
【００２０】
前記挟持搬送部２２は、定着部１２を通過した記録紙部分を駆動ローラとしての駆動搬送ローラ２３と遊転ローラとしてのその駆動搬送ローラに連動する従動ローラ２４との間に挟持して、搬送ローラ２３の駆動回転で排紙トレイ６側に向けて駆動搬送するように構成してある。したがって、駆動搬送ローラ２３と従動ローラ２４が記録紙Ｐを排紙トレイ６側に排出させるための排出ローラ２６を構成し、駆動搬送ローラ２３の一部を機体本体Ｂから露出させて設けてある。
【００２１】
前記駆動搬送ローラ２３は、図４、図５に示すように、複数の円筒状のゴム製のローラ部材２７を回転軸芯Ｘ１方向に間隔を隔てて駆動軸としての丸棒状の回転軸部材２８に同芯状に固定して構成してあり、回転軸部材２８は、排紙用搬送路２１の上方を覆うように装脱自在な排出ユニット２５に回転自在に組み付けてあり、電動モータ３１により回転軸部材２８を駆動回転自在に構成してある。又、従動ローラ２４は、複数の円筒状でかつ両側に鍔部２９ａが形成された合成樹脂製のローラ部材２９を回転軸芯Ｘ２方向に間隔を隔てて丸棒状の回転軸部材３０に同芯状に回転自在に取り付けて構成してあり、回転軸部材３０は、排出ユニット２５に回転自在に組み付けてある。そして、ローラ部材２７の上方に位置しかつローラ部材２７に対応する箇所に開口３２ａが形成されかつ先端側がローラ部材２７側に折り曲げられた庇状の覆い部材３２を排出ユニット２５の上部に取り付けてある。
【００２２】
そして、駆動搬送ローラ２３による機体本体Ｂの内側への巻き込みを防止するポリアセタール等の合成樹脂製の巻き込み防止部材Ｃを、駆動搬送ローラ２３の回転軸部材２８に着脱自在に設け、巻き込み防止部材Ｃを構成するに、駆動搬送ローラ２３の回転軸部材２８に着脱自在に且つ摺動自在に取り付ける取り付け部３３に、駆動搬送ローラ２３とその回転方向下流側における覆い部材３２の折り曲げ部分３２ｂとの間の隙間を塞ぐカバー部３４を取り付けてある。
【００２３】
説明を加えると、内周面が回転軸部材２８の外周面に接触しかつ側面がローラ部材２７の回転軸芯Ｘ１方向における側面に接触する一対の略Ｃ字状の取り付け部３３の夫々に、側面がローラ部材２７の回転軸芯Ｘ１方向における側面に接触する一対の平板状の接続部３５の夫々をローラ部材２７の径方向に沿って取り付け、それら接続部３５の間に回転軸芯Ｘ１方向に沿う矩形板状のカバー部３４を取り付けてある。これにより、手指が機体本体Ｂの内側に巻き込まれることを防止できる。しかも、カバー部３４とローラ部材２７の外周面におけるカバー部３４に対向する箇所との為す角度が鈍角（９０度以上）であるので、手指が機体本体Ｂの内側に巻き込まれることを一層防止できる。
【００２４】
前記接続部３５の先端側でかつ回転方向下流側の端面３５ａを、覆い部材３２における基端側の取り付け部分３２ｃに接触あるいは近接させ、接続部３５の先端側でかつ回転方向上流側の端面３５ｂを、覆い部材３２における先端側の折り曲げ部分３２ｂに接触あるいは近接させてある。又、カバー部３４における覆い部材３２側の一辺３４ａを覆い部材３２における先端側の折り曲げ部分３２ｂに接触あるいは近接させ、カバー部３４におけるローラ部材２７側の一辺３４ｂをローラ部材２７の外周面と間隔を隔てて位置させてある。そして、接続部３５における端面３５ａ、３５ｂの為す角度を、覆い部材３２における取り付け部分３２ｃ、折り曲げ部分３２ｂの為す角度と一致させてあり、接続部３５の先端と覆い部材３２の折り曲げ箇所とが係合することにより、回転軸部材２８の駆動回転に伴って巻き込み防止部材Ｃが回転することを良好に防止できる。
以上の構成により、ローラ部材２７の回転軸部材２８を基準に巻き込み防止部材Ｃと駆ローラ部材２７との間の隙間を設計できるために、製作誤差や組み付け誤差が小さなものとなるばかりでなく、ローラ部材２７と巻き込み防止部材Ｃとの間に介在する部品が回転軸部材２８だけであり、製作誤差や取り付け誤差の累積公差がほとんどないので、カバー部３４がローラ部材２７に接触することを回避しながらも、ローラ部材２７とカバー部３４との間の隙間を十分に小さくできるものとなる。
【００２５】
〔別実施の形態〕
（１）上記実施の形態では、一対の略Ｃ字状の取り付け部３３の夫々に、一対の平板状の接続部３５の夫々をローラ部材２７の径方向に沿って取り付け、それら接続部３５の間に矩形板状のカバー部３４を取り付けてある構成を例示したが、接続部３５を設けずに一対の略Ｃ字状の取り付け部３３の間に矩形板状のカバー部３４を取り付けてもよい。
【００２６】
（２）上記実施の形態では、巻き込み防止部材Ｃがポリアセタールにて構成されている構成を例示したが、例えば、ポリアミド、ポリカーボネート、変性ポリフェニレンエーテル、ポリブチレンテレフタレート等、種々の合成樹脂が使用可能である
【図面の簡単な説明】
【００２７】
【図１】画像形成装置の内部を示す側面図
【図２】排出ユニットの断面側面図
【図３】排出ユニットの全体斜視図
【図４】巻き込み防止部材を駆動軸に設けた構成を示す図
【図５】巻き込み防止部材を駆動軸に設けた構成を示す図
【符号の説明】
【００２８】
２３          駆動ローラとしての駆動搬送ローラ
２４          遊転ローラとしての従動ローラ
２８          駆動軸としての丸棒状の回転軸部材
３２          覆い部材
３３          取り付け部
３４          カバー部
Ｂ            機体本体
Ｃ            巻き込み防止部材
【図１】
2009104075.tif 000003
【図２】
2009104075.tif 000004
【図３】
2009104075.tif 000005
【図４】
2009104075.tif 000006
【図５】
2009104075.tif 000007